(57)【特許請求の範囲】
【請求項１】
平面形状が四角形の室外機本体（２２）と、この室外機本体（２２）の側面に沿って設けられた熱交換器（１３）と、前記室外機本体（２２）の上部に設けられ、当該室外機本体（２２）内の空気を上方へ吹き出す送風機（２３）と、前記室外機本体（２２）内で前記熱交換器（１３）に囲まれて配置された圧縮機（１１）と、を備えている空気調和装置の室外機であって、
前記熱交換器（１３）が、前記室外機本体（２２）の４つの側面に沿って設けられ、
前記熱交換器（１３）の隣接する一の側端部（１３ａ）と他の側端部（１３ｂ）とが、それぞれ前記室外機本体（２２）の平面形状における１辺の中間とこれに隣接する他の辺の中間とに配置され、
前記一の側端部（１３ａ）と前記他の側端部（１３ｂ）との間の前記室外機本体（２２）の角隅部には支柱（３２）が配置され、
前記一の側端部（１３ａ）と前記支柱（３２）との間には、前記室外機本体（２２）の内外を連通可能とするとともに、前記圧縮機（１１）を出し入れ可能な開口部（２０ａ）が形成されており、
前記開口部（２０ａ）の周縁に位置する前記一の側端部（１３ａ）には、当該側端部から前記開口部（２０ａ）に向けて側方に突出するＵ字型の伝熱管（４８ａ）を前記室外機本体（２２）の内側、外側、及び前記開口部（２０ａ）側の三方から覆うカバー部材（２１）が設けられていることを特徴とする空気調和装置の室外機。
【請求項２】
前記室外機本体（２２）の前記開口部（２０ａ）を正面からみたとき、前記圧縮機（１１）の少なくとも一部が前記開口部（２０ａ）の幅方向の範囲から前記カバー部材（２１）側へ外れて配置されている、請求項１に記載の空気調和装置の室外機。
【請求項３】
前記カバー部材（２１）が、前記熱交換器（１３）の上下方向の全体にわたって設けられている請求項１又は２に記載の空気調和装置の室外機。
【請求項４】
前記カバー部材（２１）が、前記室外機本体（２２）の構造部材として構成されている請求項１〜３のいずれかに記載の空気調和装置の室外機。
【請求項５】
前記カバー部材（２１）が、前記室外機本体（２２）内に取り付けられる部品（２５）の支持部材として構成されている請求項１〜４のいずれかに記載の空気調和装置の室外機。
【請求項６】
前記部品（２５）が、オプション部品である請求項５に記載の空気調和装置の室外機。
【請求項７】
前記部品（２５）が、電気部品である請求項５又は６に記載の空気調和装置の室外機。
【請求項８】
前記室外機本体（２２）の上部であって、前記送風機（２３）によって生成される空気流の流通路外に電装品ユニット（２４）が設けられている請求項１〜７のいずれかに記載の空気調和装置の室外機。
【請求項９】
前記電装品ユニット（２４）が前記カバー部材（２１）によって下方から支持されている請求項８に記載の空気調和装置の室外機。
【発明の詳細な説明】
【技術分野】
【０００１】
本発明は、空気調和装置の室外機に関する。
【背景技術】
【０００２】
従来の空気調和装置として、例えば、下記特許文献１に開示されているように、平面形状が四角形の室外機本体の４つの側面に沿うように熱交換器が設けられ、室外機本体の上部に設けたファンを作動させることによって、室外機本体の４つの側面から吸引した空気を室外機本体の上部から吹き出すようにした室外機を備えているものが知られている。
この特許文献１記載の室外機は、熱交換器の一方の側端部と他方の側端部との間に開口部が形成されており、この開口部が配管の接続スペースとして利用されている。
【先行技術文献】
【特許文献】
【０００３】
【特許文献１】実公昭６０−１８７６７号公報
【発明の概要】
【発明が解決しようとする課題】
【０００４】
上述のような空気調和装置の室外機には、熱交換器だけでなく冷媒回路を構成する他の機器、例えば、圧縮機、四路切換弁、アキュムレータ等が収容されている。そして、これらの機器に対するメンテナンスや交換等の作業を、前述の開口部を介して行うことが考えられる。
しかし、開口部の周縁に位置している熱交換器の一方の側端部には、Ｕ字状に折り返された伝熱管の端部が突出しているため、メンテナンスに使用する工具や交換しようとする機器等が伝熱管の端部に接触する可能性があり、この接触によって伝熱管を傷めてしまうおそれがある。
特に、熱交換器が、室外機本体の４つの側面に対してより広い範囲で設けられている場合には、開口部は必要最小限の範囲で形成されることになる。そのため、伝熱管に対する工具や機器等の接触がより問題となる。
【０００５】
本発明は、このような実情に鑑みてなされたものであり、開口部を介して室外機本体内の機器のメンテナンスや交換等を行う際に、熱交換器の伝熱管が損傷するのを防止することができる空気調和装置の室外機を提供することを目的とする。
【課題を解決するための手段】
【０００６】
平面形状が四角形の室外機本体と、この室外機本体の側面に沿って設けられた熱交換器と、前記室外機本体の上部に設けられ、当該室外機本体内の空気を上方へ吹き出す送風機と、前記室外機本体内で前記熱交換器に囲まれて配置された圧縮機と、を備えている空気調和装置の室外機であって、
前記熱交換器が、前記室外機本体の４つの側面に沿って設けられ、
前記熱交換器の隣接する一の側端部と他の側端部とが、それぞれ前記室外機本体の平面形状における１辺の中間とこれに隣接する他の辺の中間とに配置され、
前記一の側端部と前記他の側端部との間の前記室外機本体の角隅部には支柱が配置され、
前記一の側端部と前記支柱との間には、前記室外機本体の内外を連通可能とするとともに、前記圧縮機を出し入れ可能な開口部が形成されており、
前記開口部の周縁に位置する前記一の側端部には、当該側端部から前記開口部に向けて側方に突出するＵ字型の伝熱管を前記室外機本体の内側、外側、及び前記開口部側の三方から覆うカバー部材が設けられていることを特徴とする。
【０００７】
この構成によれば、開口部の周縁に位置する熱交換器の側端部には、当該側端部から突出する伝熱管を覆うカバー部材が設けられているので、開口部を介して室外機本体内に収容された機器のメンテナンスや交換等を行う際に、工具や機器等が当該伝熱管に接触するのを防止することができ、当該伝熱管を傷めることがない。
また、熱交換器が室外機本体の４つの側面に沿って設けられているので、室外機本体のより広い範囲に熱交換器を設けることができ、熱交換効率を高めることが可能となる。その反面、開口部の幅が小さくなる可能性があるが、熱交換器の側端部には伝熱管を覆うカバー部材が設けられているので、開口部を介して室外機本体内の機器のメンテナンスや交換等を行う際に、工具や機器等が伝熱管に接触するのを好適に防止することができる。
【０００８】
本発明の室外機は、前記室外機本体の前記開口部を正面からみたとき、前記圧縮機の少なくとも一部が前記開口部の幅方向の範囲から前記カバー部材側へ外れて配置されていることが好ましい。
【０００９】
前記カバー部材は、前記熱交換器の上下方向の全体にわたって設けられていてもよい。
このような構成によって、熱交換器の上下方向の全体において伝熱管の損傷を防止することができる。
【００１０】
前記カバー部材は、前記室外機本体の構造部材とされていてもよい。
この構成によれば、カバー部材を室外機本体の構造部材として利用し、室外機本体の強度を高めることができる。
【００１１】
前記カバー部材は、前記室外機本体内に取り付けられる部品の支持部材とされていてもよい。
この構成によれば、当該部品を取り付けるために、室外機本体の底板や支柱等に専用の支持部材を設ける必要がなくなり、室外機本体の構造を簡素化することができる。
【００１２】
前記部品は、オプション部品であってもよい。
この構成によれば、設置環境やユーザの選択等に応じて取り付けられるオプション部品をカバー部材により支持することで、オプション部品を支持するための専用の支持部材を新たに設ける必要性を少なくすることができ、オプション部品を備えることに伴うコスト増を抑制することができる。
【００１３】
前記部品は、電気部品であってもよい。
この構成により、熱交換器の側端部から突出する伝熱管に結露が発生したとしても、結露水が電気部品に付着するのをカバー部材によって防止することができる。
【００１４】
前記室外機本体の上部であって、前記送風機によって生成される空気流の空気の流通路外に、電装品ユニットが設けられていてもよい。
この構成によれば、電装品ユニットによって室外機本体内の空気流が妨げられることがなくなり、空気の流通面積を十分に確保し、熱交換効率を高めることができる。
【００１５】
前記電装品ユニットは、前記カバー部材によって下方から支持されていてもよい。
このような構成によって、電装品ユニットを支持するための支持部材としてもカバー部材を利用することができ、電装品ユニットの支持構造を簡素化することができる。
【発明の効果】
【００１７】
本発明によれば、開口部を介して室外機本体内の機器のメンテナンスや交換等を行う際に、熱交換器の伝熱管の損傷を防止することができる。
【図面の簡単な説明】
【００１８】
【図１】本発明の第１の実施の形態に係る室外機を有する空気調和装置の冷媒回路を示す模式図である。
【図２】室外機の斜視図である。
【図３】室外機の天板及び側板を取り外した状態を示す斜視図である。
【図４】室外機の内部の上部側を示す平面説明図である。
【図５】室外機の内部の下部側を示す平面説明図である。
【図６】カバー部材の横断面図である。
【図７】カバー部材の上部を示す正面図である。
【図８】カバー部材の縦断面図である。
【図９】本発明の第２の実施の形態に係る空気調和装置の室外機における熱交換器の配置を概略的に示す平面説明図である。
【図１０】本発明の第３の実施の形態に係る空気調和装置の室外機における熱交換器の配置を概略的に示す平面説明図である。
【図１１】本発明の第４の実施の形態に係る空気調和装置の室外機における熱交換器の配置を概略的に示す平面説明図である。
【発明を実施するための形態】
【００１９】
図１は、本発明の第１の実施の形態に係る室外機２を有する空気調和装置１の冷媒回路を示す模式図である。空気調和装置１は、例えばビル用のマルチタイプの空気調和装置であり、１つ又は複数の室外機２に対して複数の室内機３を並列に接続して冷媒を流通させるように冷媒回路１０が形成されている。
【００２０】
室外機２には、圧縮機１１、四路切換弁１２、室外熱交換器１３、室外膨張弁１４、及び送風機２３等が設けられている。また、室内機３には、室内膨張弁１５および室内熱交換器１６等が設けられている。四路切換弁１２と室内熱交換器１６とはガス側冷媒連絡配管１７ａにより接続され、室外膨張弁１４と室内膨張弁１５とは液側冷媒連絡配管１７ｂにより接続されている。室外機２の内部冷媒回路の端末部には、ガス側閉鎖弁１８と液側閉鎖弁１９とが設けられている。ガス側閉鎖弁１８は四路切換弁１２側に配置されており、液側閉鎖弁１９は室外膨張弁１４側に配置されている。ガス側閉鎖弁１８にはガス側冷媒連絡配管１７ａが接続され、液側閉鎖弁１９には液側冷媒連絡配管１７ｂが接続される。
【００２１】
本実施の形態の室外機２には、２台の圧縮機１１が並列に設けられている。この２台の圧縮機１１は、インバータにより回転数制御が行われる容量可変のインバータ圧縮機と、オンオフ制御がなされる定容量の定容量圧縮機との組合せとしてもよいし、同一容量又は異なる容量の２台のインバータ圧縮機の組合せ、又は２台の定容量圧縮機の組合せとしてもよい。
【００２２】
上記構成の空気調和装置１において、冷房運転を行う場合には、四路切換弁１２が図１において実線で示す状態に保持される。圧縮機１１から吐出された高温高圧のガス状冷媒は、四路切換弁１２を介して室外熱交換器１３に流入し、送風機２３の作動により室外空気と熱交換して凝縮・液化する。液化した冷媒は、全開状態の室外膨張弁１４を通過し、液側冷媒連絡配管１７ｂを通って各室内機３に流入する。室内機３において、冷媒は、室内膨張弁１５で所定の低圧に減圧され、さらに室内熱交換器１６で室内空気と熱交換して蒸発する。そして、冷媒の蒸発によって冷却された室内空気は、図示しない室内ファンによって室内に吹き出され、当該室内を冷房する。また、室内熱交換器１６で蒸発して気化した冷媒は、ガス側冷媒連絡配管１７ａを通って室外機２に戻り、圧縮機１１に吸い込まれる。
【００２３】
一方、暖房運転を行う場合には、四路切換弁１２が図１において破線で示す状態に保持される。圧縮機１１から吐出された高温高圧のガス状冷媒は、四路切換弁１２を介して各室内機３の室内熱交換器１６に流入し、室内空気と熱交換して凝縮・液化する。冷媒の凝縮によって加熱された室内空気は、室内ファンによって室内に吹き出され、当該室内を暖房する。室内熱交換器１６において液化した冷媒は、全開状態の室内膨張弁１５から液側冷媒連絡配管１７ｂを通って室外機２に戻る。室外機２に戻った冷媒は、室外膨張弁１４で所定の低圧に減圧され、さらに室外熱交換器１３で室外空気と熱交換して蒸発する。そして、室外熱交換器１３で蒸発して気化した冷媒は、四路切換弁１２を介して圧縮機１１に吸い込まれる。
【００２４】
図２は、室外機の斜視図、図３は、室外機の天板及び側板を取り外した状態を示す斜視図、図４は、室外機の内部の上部側を示す平面説明図である。
室外機２は、室外機本体２２と、この室外機本体２２の側面に沿うように配置された室外熱交換器１３とを有している。室外機本体２２は、略直方体形状に形成されており、底板３０、天板３１、支柱３２、横梁部材３３ａ〜３３ｄ、側板４４，５４，５５等を有している。
【００２５】
図２〜図４に示されるように、底板３０は、平面視で四角形状、特に左右方向に長い長方形状に形成されている。底板３０の四隅には、それぞれ支柱３２の下部がボルト等の連結具によって連結されている。各支柱３２は、例えば底板３０の隅部の形状に適合する略Ｌ字形状のアングル材からなる。
【００２６】
図２に示されるように、天板３１は、底板３０と略同一の平面視で四角形状に形成され、底板３０の上方に間隔をあけて配置されている。天板３１の四隅には、各支柱３２の上端部がボルト等の連結具によって連結されている。天板３１には、２つの四角形状の通風口３５が左右に並べて形成されており、この通風口３５には異物の侵入を防止するための網体３６が設けられている。
【００２７】
図３に示されるように、横梁部材３３ａ〜３３ｄは、支柱３２の上部側であって、天板３１から下方に所定の間隔をあけた位置に配置され、前後左右に隣接する支柱３２の間に架設されている。そして、室外機本体２２は、底板３０、天板３１、支柱３２、横梁部材３３ａ〜３３ｄからなる構造部材によって骨格が形成されている。また、後述するカバー部材２１（図３参照）も室外機本体２２の骨格を形成する構造部材（強度部材）とされている。
【００２８】
図４に示されるように、室外機本体２２の左右両側に配置された横梁部材３３ａ，３３ｂ、及び室外機本体２２の後部側に配置された横梁部材３３ｄは、断面形状が矩形状やＬ字状等の細長い長尺部材により構成されている。これに対して室外機本体２２の前部側に配置された横梁部材（前横梁部材）３３ｃは、前後方向の幅ｗがやや広く形成された板材から構成されている。そして、この前横梁部材３３ｃの上には、電装品ユニット２４が配置されている。すなわち、前横梁部材３３ｃは、電装品ユニット２４の支持台として用いられている。電装品ユニット２４は、箱形状のケーシングの内部に室外機２全体を制御するための制御基板や圧縮機を制御するためのインバータ基板、その他の電気部品を収容してなる。そして、電装品ユニット２４は、室外機２の左右方向の幅の全体又は大部分を占める広い範囲に設けられている。
【００２９】
前横梁部材３３ｃと後横梁部材３３ｄとの間には、２つの支持台４１が左右に並べて架設されている。各支持台４１には、送風機２３のモータ２３ａが支持されている。また、図３に示されるように、横梁部材３３ａ〜３３ｄには、送風機２３の外周を囲って通風路を形成するベルマウス４２が取り付けられている。電装品ユニット２４は、その左右方向の中央部に、左右２つの送風機２３の間（ベルマウス４２の間）のデッドスペースに突出する突出部２４ａを有している。この突出部２４ａによって電装品ユニット２４の内部容量の増大が図られている。
【００３０】
図２に示されるように、横梁部材３３ａ〜３３ｄと天板３１との間に位置する室外機本体２２の４つの側面には上部側板４４が設けられている。送風機２３、ベルマウス４２、及び電装品ユニット（図３参照）は、上部側板４４や天板３１によって覆われることで、外部に露出しないように構成されている。前面の上部側板４４は、電装品ユニット２４の前面部を開閉自在に閉鎖する蓋部材を構成していてもよい。
【００３１】
図５は、室外機の内部の下部側を示す平面説明図である。室外機本体２２の底板３０の上面には、室外熱交換器１３、圧縮機１１、アキュムレータ４５、オイルセパレータ４６等の機器が搭載されている。室外熱交換器１３は、いわゆるクロスフィン型のフィンアンドチューブ式熱交換器であり、アルミニウム製の多数のフィン４７と銅製の伝熱管４８とを備えている。伝熱管４８は、冷媒が空気と熱交換しながら流通するための冷媒流路を形成しており、複数本が上下方向に並設されている。各伝熱管４８は、複数のフィン４７を直交状に貫通する共に、室外熱交換器１３の両側の側端部でＵ字状に１８０度湾曲することによって蛇行している。また、室外熱交換器１３の一方の側端部１３ａには、Ｕ字状に湾曲する伝熱管４８（Ｕ字型配管４８ａ）のみが突出し、他方の側端部１３ｂには、Ｕ字状に湾曲する伝熱管４８の他、キャピラリーチューブやヘッダー管等を含む配管群４９に接続される伝熱管４８の端部が突出している。
【００３２】
室外熱交換器１３は、室外機本体２２の４つの側面に沿うように略四角形状に屈曲されている。具体的には、室外熱交換器１３は、室外機本体２２の前側の側面（前面）に沿う前熱交換部５０と、右側の側面に沿う右熱交換部５１と、後側の側面（後面）に沿う後熱交換部５２と、左側の側面に沿う左熱交換部５３とを有している。そして、前熱交換部５０と右熱交換部５１との間、右熱交換部５１と後熱交換部５２との間、及び後熱交換部５２と左熱交換部５３との間が、９０度又はそれに近い角度で屈曲されている。そして、本実施の形態では、前熱交換部５０の左端部と左熱交換部５３の前端部とが、それぞれ室外熱交換器１３の一方の側端部１３ａと他方の側端部１３ｂとを構成している。
【００３３】
前熱交換部５０は、室外機本体２２の前面のうち、概ね右側半分の範囲に沿うように設けられている。そして、左熱交換部５３は、室外機本体２２の左側面のうち、概ね後側半分の範囲に沿うように設けられている。したがって、室外熱交換器１３の一方の側端部１３ａと、他方の側端部１３ｂとの間、すなわち室外機本体２２の前面の左側半分と、左側面の前側半分とには、室外熱交換器１３が存在しない開口部２０が形成されている。なお、室外熱交換器１３の一方の側端部１３ａに設けられたＵ字型配管４８ａは、室外機本体２２の前面に位置する開口部２０ａに向けて側方（左方向）に突出している。
【００３４】
図２及び図３に示されるように、開口部２０は、支柱３２によって２つに分割されている。また、室外機本体２２の前面の開口部２０ａは前側板５４によって閉塞され、室外機本体２２の左側面の開口部２０ｂは左側板５５によって閉鎖されている。そして、前側板５４及び左側板５５を取り外すことによって開口部２０ａ，２０ｂを開放し、室外機本体２２の内部と外部とを連通させることができる。なお、図２においては、上部側板４４、前側板５４、及び左側板５５以外の室外機本体２２の側面部分には、側板が設けられておらず、室外熱交換器１３がそのまま露出しているが、空気の流通を許容する通風口が形成された側板や、複数本の線材を格子状に組んだ格子状部材を室外熱交換器１３と対向する室外機本体２２の側面部分に設けてもよい。
【００３５】
図５に示されるように、閉鎖弁１８，１９は、室外機本体２２の前面の開口部２０ａに向くようにブラケット５７を介して支持されている。また、配管群４９は、左側面の開口部２０ｂの近傍に配置されている。２台の圧縮機１１のうち左側に配置された圧縮機１１ａは、前面の開口部２０ａを介して前方から略全体を視認できる位置に配置され、右側に配置された圧縮機１１ｂは、開口部２０ａよりもやや右側に入り込んだ位置に配置されている。また、アキュムレータ４５やオイルセパレータ４６は室外機本体２２内の後部側に配置されている。
【００３６】
室外機本体２２の内部に配置された圧縮機１１や弁等の機器は、定期的な点検やメンテナンスの対象となり、これらの作業は開口部２０を介して行うことができる。また、室外機本体２２に配置された機器の交換作業も開口部２０を介して行うことができる。そして、これらの作業を行う際に、メンテナンス等に使用する工具や交換する機器等が室外熱交換器１３の側端部１３ａから突出するＵ字型配管４８ａに接触すると、当該Ｕ字型配管４８ａを損傷させてしまうおそれがあるため、本実施の形態の室外機２には、Ｕ字型配管４８ａを覆うカバー部材２１が設けられており、このカバー部材２１によってＵ字型配管４８ａが保護されている。
【００３７】
図６は、カバー部材の横断面図、図７は、カバー部材の上部を示す正面図、図８は、カバー部材の縦断面図である。カバー部材２１は、Ｕ字型配管４８ａを前側、後側、及び左側の三方から覆うように断面コ字形状に形成されている。また、カバー部材２１は、室外熱交換器１３の高さ全体にわたる上下長さに形成されており、その下端部が底板３０に固定され、上端部が前横梁部材３３ｃに固定されている。
【００３８】
具体的には、図７に示されるように、カバー部材２１の側面板２１ａには、上方へ突出するＬ字形状の支持片６０が前横梁部材３３ｃの下面に当接している。また、支持片６０の前端部には取付片６１が上方へ屈曲されており、この取付片６１が連結ボルト６２によって前横梁部材３３ｃの前縁部に連結されている。したがって、カバー部材２１は、前横梁部材３３ｃを支持し、これによって、図３に示す電装品ユニット２４を下方から支持する支持部材として機能している。
【００３９】
また、図６に示されるように、カバー部材２１の前面板２１ｂは、室外熱交換器１３の管板１３ｃに対して取付ボルト６４によって連結されている。また、取付ボルト６４は、前側板５４を装着するためにも用いられている。
カバー部材２１の側面板２１ａには、上下方向に長い長孔２１ｄが形成されている。この長孔２１ｄは、伝熱管４８のＵ字型配管４８ａに対応する位置に形成されている。この長孔２１ｄは、伝熱管４８から放出される熱を外部へ逃がすために形成されている。
【００４０】
以上に説明した本実施の形態の室外機２においては、室外熱交換器１３の一方の側端部１３ａから突出するＵ字型配管４８ａを覆うカバー部材２１が設けられているので、開口部２０を介して室外機本体２２内の機器のメンテナンスや交換等を行う場合に、Ｕ字型配管４８ａを損傷させてしまうことがない。
【００４１】
また、カバー部材２１は、室外熱交換器１３の上下方向の全体にわたる範囲で設けられているので、室外熱交換器１３の側端部１３ａから突出する全てのＵ字型配管４８ａを保護することができる。また、カバー部材２１は、その上端部と下端部とがそれぞれ前横梁部材３３ｃ、底板３０に連結されており、これらの部材とともに室外機本体２２の構造部材（強度部材）としても機能している。したがって、室外機本体２２の強度をより高めることができる。
【００４２】
カバー部材２１は、前横梁部材３３ｃの下面に連結され、前横梁部材３３ｃを支持しているので、前横梁部材３３ｃの撓みを抑制することができる。特に、カバー部材２１は、前横梁部材３３ｃの左右方向の略中央部に配置されているので、前横梁部材３３ｃの撓みをより確実に抑制することができる。また、カバー部材２１は、前横梁部材３３ｃの上に載置された電装品ユニット２４をも下方から支持しているため、電装品ユニット２４を安定して設置することができる。
【００４３】
電装品ユニット２４は、室外機本体２２の上部に配置されるとともに、空気の流通路を形成するベルマウス４２に隣接して配置されている。すなわち、電装品ユニット２４は、室外機本体２２内で生じる空気流の流通路外に配置されている。そのため、電装品ユニット２４が室外機本体２２内の空気の流れを阻害することはなく、室外機本体２２内における空気の流通面積を十分に確保し、室外熱交換器１３による熱交換効率を高めることができる。また、電装品ユニット２４は、室外機本体２２の上部に配置されているので、左右方向に広い範囲で設けることができ、電装品ユニット２４のケーシングの内部スペースを広く確保することができる。
【００４４】
空気調和装置１の室外機２には、標準的に装備される部品や機器だけでなく、設置環境やユーザの選択等に応じて装備されるオプション部品がある。例えば、室外機２を海外で使用する場合に必要となる変圧器やノイズフィルタ等がオプション部品に相当する。このようなオプション部品を室外機本体２２内に設けようとすると、通常は、専用の支持ブラケット等を底板３０や支柱等に設ける必要が生じるが、本実施の形態では、前述のカバー部材２１がオプション部品の支持部材として利用可能に構成されている。
【００４５】
具体的には、カバー部材２１に対して予めオプション部品を取り付けるための取付孔（雌ネジ孔）を形成したり、オプション部品を引っ掛けるための係止孔（係止溝）等を形成したりすることで、図３に示されるように、オプション部品２５をカバー部材２１によって支持することができる。また、カバー部材２１に隣接する支柱３２とともにオプション部品２５を支持してもよい。このようにオプション部品２５をカバー部材２１によって支持することで、オプション部品２５の装備に伴って追加される新たな支持部材を無くすか、又は少なくすることができるので、オプション部品２５を装備に伴うコストの増大を抑制することができる。
【００４６】
なお、カバー部材２１は、Ｕ字型配管４８ａで発生する結露等がオプション部品２５に付着するのを防止する機能を有している。したがって、特にオプション部品２５が変圧器等の電気部品である場合には、水分が付着することに伴う不都合を好適に解消することができる。また、カバー部材２１は、オプション部品２５を装着する際に、当該オプション部品２５がＵ字型配管４８ａに接触するのを防止する機能をも有している。
【００４７】
前述の室外熱交換器１３は、例えば、図９〜図１１に示されるように配置することも可能である。
図９は、本発明の第２の実施の形態に係る空気調和装置の室外機における熱交換器の配置を概略的に示す平面説明図である。図９に示される室外熱交換器１３は、長さ方向に離れた４箇所において約９０度の角度で屈曲されている。そして、室外機本体２２の一つの側面（前面）において、一方の側端部１３ａと他方の側端部１３ｂとが隣接し、両側端部１３ａ，１３ｂの間に開口部２０が形成されている。そして、室外熱交換器１３は、一方の側端部１３ａから突出するＵ字型配管４８ａがカバー部材２１によって覆われたものとなっている。
【００４８】
図１０は、本発明の第３の実施の形態に係る空気調和装置の室外機における熱交換器の配置を概略的に示す平面説明図である。図１０に示される室外機２には、２つの室外熱交換器１３が設けられ、各室外熱交換器１３は、Ｌ字状に屈曲されている。一方の室外熱交換器１３は、室外機本体２２の前面及び右側面に沿って配置され、他方の室外熱交換器１３は、室外機本体２２の後面及び左側面に沿って配置されている。そして、一方の室外熱交換器１３の側端部１３ａと、他方の室外熱交換器１３の側端部１３ｂとの間に開口部２０が形成されている。すなわち、室外機本体２２の対角線上に位置する２つの角隅部にそれぞれ開口部２０が形成されている。そして、各開口部２０の周縁に位置している室外熱交換器１３の側端部１３ａには、Ｕ字型配管４８ａを覆うカバー部材２１が設けられている。
【００４９】
なお、図１０に示される例においては、一方の室外熱交換器１３における一方の側端部１３ａと、これに隣接する他方の室外熱交換器１３における他方の側端部１３ｂとをそれぞれ互いに接近する方向へ延長することによって、一方の開口部２０を省略することも可能である。
また、図１０に示される例において、一方の室外熱交換器１３においてＵ字型配管４８ａのみが突出する側端部１３ａと、他方の室外熱交換器１３においてＵ字型配管４８ａのみが突出する側端部１３ａとを隣接させて、両側端部１３ａ、１３ａの間に開口部２０を形成してもよい。この場合、両方の側端部１３ａ，１３ａに対してカバー部材２１を設けてもよい。
【００５０】
図１１は、本発明の第４の実施の形態に係る空気調和装置の室外機における熱交換器の配置を概略的に示す平面説明図である。図１１に示される室外熱交換器１３は、室外機本体２２の前面、右側面、及び後面に沿って配置され、左側面には配置されていない。すなわち、室外熱交換器１３は、前熱交換部５０と右熱交換部５１と後熱交換部５２とからなり、室外機本体２２の３つの側面に沿って配置されている。また、室外機本体２２の前面には、前熱交換部５０の側端部１３ａよりも左側の範囲に開口部２０ａが設けられている。室外機本体２２の左側面にも開口部２０ｂが設けられ、左前側の支柱３２によって開口部２０が２つに分割されている。前熱交換部５０の側端部１３ａには、開口部２０ａ側へ向けて側方へ突出するＵ字型配管４８ａが設けられ、このＵ字型配管４８ａがカバー部材２１によって覆われている。したがって、室外機本体２２の前面の開口部２０ａを介して室外機本体２２内の機器のメンテナンスや交換等を行う際に、当該機器等がＵ字型配管４８ａに接触してＵ字型配管４８ａを損傷させてしまうのを防止することができる。
【００５１】
本発明は、上記各実施の形態に限定されるものではなく、特許請求の範囲に記載された発明の範囲内において、適宜変更することが可能である。
例えば、カバー部材２１は、室外熱交換器１３の一方の側端部１３ａにおけるＵ字型配管４８ａだけでなく、他方の側端部１３ｂにおけるＵ字型配管や伝熱管端部を覆うために設けられていてもよい。つまり、開口部２０の周縁に位置する室外熱交換器１３の両側端部１３ａ，１３ｂに対してカバー部材２１が設けられていてもよい。
【００５２】
また、開口部２０は、室外機本体２２のいずれの側面に対して設けられていてもよい。
電装品ユニット２４は、室外機本体２２の上部に設けられているが、前述のオプション部品２５のように、カバー部材２１やこれに隣接する支柱３２に取り付けることができる。
上記実施の形態では、室外機２に２台の圧縮機１１が設けられていたが、１台又は３台以上の圧縮機１１が設けられていてもよい。また、圧縮機１１やその他の機器の配置等は適宜変更することができる。また、上記各実施の形態では、室外熱交換器１３が室外機本体２２の４つ又は３つの側面に沿って設けられていたが、２つ以上の複数の側面に沿って室外熱交換器１３が設けられていればよい。
【符号の説明】
【００５３】
１    空気調和装置
２    室外機
１３  室外熱交換器
２０  開口部
２１  カバー部材
２２  室外機本体
２３  送風機
２４  電装品ユニット
２５  オプション部品
【図１】
0005240377.tif 000002
【図２】
0005240377.tif 000003
【図３】
0005240377.tif 000004
【図４】
0005240377.tif 000005
【図５】
0005240377.tif 000006
【図６】
0005240377.tif 000007
【図７】
0005240377.tif 000008
【図８】
0005240377.tif 000009
【図９】
0005240377.tif 000010
【図１０】
0005240377.tif 000011
【図１１】
0005240377.tif 000012